(57)【要約】【課題】手を小さく動かすことで手を乾燥させることができ、かつ、外部への水滴の飛散を軽減できる手乾燥装置を提供する。【解決手段】手乾燥装置１の本体２には、第一の手挿入空間４と、第二の手挿入空間５と、第一の手挿入空間４へ気流を吹き出す第一前ノズル１５及び第一後ノズル１６と、第二の手挿入空間５へ気流を吹き出す第二前ノズル１７及び第二後ノズル１８と、が形成されている。第一の手挿入空間４は、第二の手挿入空間５に対して、少なくとも部分的に隔てられている。本体２の第一側面から使用者の左手を第一の手挿入空間４に挿入可能である。本体２の第二側面から使用者の右手を第二の手挿入空間５に挿入可能である。第一後ノズル１６は、第一前ノズル１５と反対側から気流を吹き出す。第二後ノズル１８は、第二前ノズル１７と反対側から気流を吹き出す。【選択図】図２
2018089105.tif 000002
【特許請求の範囲】
【請求項１】
第一の手挿入空間と、第二の手挿入空間と、前記第一の手挿入空間へ気流を吹き出す第一前ノズルと、前記第一前ノズルと反対側から前記第一の手挿入空間へ気流を吹き出す第一後ノズルと、前記第二の手挿入空間へ気流を吹き出す第二前ノズルと、前記第二前ノズルと反対側から前記第二の手挿入空間へ気流を吹き出す第二後ノズルと、前記第一の手挿入空間から水を排出する第一排水部と、前記第二の手挿入空間から水を排出する第二排水部とが形成された本体と、
第一前ノズル、第一後ノズル、第二前ノズル、及び第二後ノズルへ供給される気流を発生させる気流発生手段と、
を備え、
前記本体の第一側面から使用者の左手を前記第一の手挿入空間に挿入可能であり、
前記第一側面と反対側の、前記本体の第二側面から使用者の右手を第二の手挿入空間に挿入可能であり、
前記第一の手挿入空間は、前記第二の手挿入空間に対して、少なくとも部分的に隔てられている、
手乾燥装置。
【請求項２】
前記第一前ノズルにより形成される列の長手方向は、上下方向に沿い、
前記第一後ノズルにより形成される列の長手方向は、上下方向に沿い、
前記第二前ノズルにより形成される列の長手方向は、上下方向に沿い、
前記第二後ノズルにより形成される列の長手方向は、上下方向に沿う請求項１に記載の手乾燥装置。
【請求項３】
前記本体は、前記第一の手挿入空間に面する第一壁面及び前記第二の手挿入空間に面する第二壁面を有する隔壁を備え、
前記第一排水部は、前記本体の前記第一側面よりも前記隔壁の前記第一壁面に近い位置にあり、
前記第二排水部は、前記本体の前記第二側面よりも前記隔壁の前記第二壁面に近い位置にある請求項１または請求項２に記載の手乾燥装置。
【請求項４】
前記第一前ノズルから吹き出される気流は、前記本体の左右方向の中央に近づく方向の速度成分を有し、
前記第一後ノズルから吹き出される気流は、前記本体の左右方向の中央に近づく方向の速度成分を有し、
前記第二前ノズルから吹き出される気流は、前記本体の左右方向の中央に近づく方向の速度成分を有し、
前記第二後ノズルから吹き出される気流は、前記本体の左右方向の中央に近づく方向の速度成分を有する請求項１から請求項３のいずれか一項に記載の手乾燥装置。
【請求項５】
前記第一の手挿入空間に通じる第一上面開口と、前記第二の手挿入空間に通じる第二上面開口とが前記本体に形成されており、
前記第一上面開口の少なくとも一部において、前後方向についての前記第一上面開口の大きさが前記本体の前記第一側面から前記本体の左右方向の中央に向かって減少し、
前記第二上面開口の少なくとも一部において、前後方向についての前記第二上面開口の大きさが前記本体の前記第二側面から前記本体の左右方向の中央に向かって減少する請求項１から請求項４のいずれか一項に記載の手乾燥装置。
【請求項６】
前記本体は、前記第一の手挿入空間に面する第一壁面及び前記第二の手挿入空間に面する第二壁面を有する隔壁を備え、
前記隔壁の少なくとも一部において前記隔壁の厚さが下に向かって薄くなる請求項１から請求項５のいずれか一項に記載の手乾燥装置。
【請求項７】
前記本体は、前記第一の手挿入空間に面する第一底面及び前記第二の手挿入空間に面する第二底面を有し、
前記第一排水部は、前記第一底面よりも急な傾斜角度で下る第一斜面を有し、
前記第二排水部は、前記第二底面よりも急な傾斜角度で下る第二斜面を有する請求項１から請求項６のいずれか一項に記載の手乾燥装置。
【請求項８】
前記第一排水部及び前記第二排水部から排水された水分が前記第一の手挿入空間及び前記第二の手挿入空間へ再飛散することを抑制する再飛散抑制手段を備える請求項１から請求項７のいずれか一項に記載の手乾燥装置。
【請求項９】
前記本体は、
前記第一の手挿入空間に面する第一前内壁面と、
前記第一の手挿入空間に面し、前記第一前内壁面に対向する第一後内壁面と、
前記第二の手挿入空間に面する第二前内壁面と、
前記第二の手挿入空間に面し、前記第二前内壁面に対向する第二後内壁面と、
を有し、
前記第一の手挿入空間に通じる第一上面開口と、前記第一上面開口につながり、前記第一の手挿入空間に通じる第一側面開口と、前記第二の手挿入空間に通じる第二上面開口と、前記第二上面開口につながり、前記第二の手挿入空間に通じる第二側面開口とが前記本体に形成されており、
前記第一前ノズルは、前記第一前内壁面に配置され、
前記第一後ノズルは、前記第一後内壁面に配置され、
前記第二前ノズルは、前記第二前内壁面に配置され、
前記第二後ノズルは、前記第二後内壁面に配置されている請求項１から請求項８のいずれか一項に記載の手乾燥装置。
【発明の詳細な説明】
【技術分野】
【０００１】
本発明は、手乾燥装置に関する。
【背景技術】
【０００２】
手洗いした後の濡れた手を、高速空気流の噴射により水分を吹き飛ばして乾燥させる手乾燥装置が広く用いられている（例えば、特許文献１及び２参照）。
【先行技術文献】
【特許文献】
【０００３】
【特許文献１】特開２００５−３２９２６６号公報
【特許文献２】特開２００１−２９９６３６号公報
【発明の概要】
【発明が解決しようとする課題】
【０００４】
特許文献１の手乾燥装置では、手挿入部の側面の一部に開口部があり、手から飛んだ水滴が開口部より飛び出さないように開口部に遮水のための複数の板状体を間隔を隔てて配置し、板状体と板状体との間から手挿入部内の空気を本体外へ排気している。しかしながら、水滴の飛行方向によっては、板状体と板状体との間を通って水滴が本体外へ飛び出す可能性がある。
【０００５】
特許文献２の手乾燥装置は、以下のような構成を有する。手挿入部の側面に開口部がなく、ノズルから吹出した空気は手から飛んだ水滴と共に排気ダクトを通り、本体下部のドレンタンクに運ばれる。水滴をドレンタンクに落とした後、その空気を本体内の送風機によって再度吸い込み、ノズルから再度吹き出す空気循環式の構成を有する。特許文献２の手乾燥装置では、以下のような課題がある。空気流に含まれる大きな水滴は分離されてドレンタンクに溜められるが、微粒状の水滴は、充分に除去しきれないまま送風機及び本体内部の風路に吸い込まれてしまう。
【０００６】
本発明は、上述のような課題を解決するためになされたもので、手を小さく動かすことで手を乾燥させることができ、かつ、外部への水滴の飛散を軽減できる手乾燥装置を提供することを目的とする。
【課題を解決するための手段】
【０００７】
本発明に係る手乾燥装置は、第一の手挿入空間と、第二の手挿入空間と、第一の手挿入空間へ気流を吹き出す第一前ノズルと、第一前ノズルと反対側から第一の手挿入空間へ気流を吹き出す第一後ノズルと、第二の手挿入空間へ気流を吹き出す第二前ノズルと、第二前ノズルと反対側から第二の手挿入空間へ気流を吹き出す第二後ノズルと、第一の手挿入空間から水を排出する第一排水部と、第二の手挿入空間から水を排出する第二排水部とが形成された本体と、第一前ノズル、第一後ノズル、第二前ノズル、及び第二後ノズルへ供給される気流を発生させる気流発生手段と、を備え、本体の第一側面から使用者の左手を第一の手挿入空間に挿入可能であり、第一側面と反対側の、本体の第二側面から使用者の右手を第二の手挿入空間に挿入可能であり、第一の手挿入空間は、第二の手挿入空間に対して、少なくとも部分的に隔てられているものである。
【発明の効果】
【０００８】
本発明の手乾燥装置によれば、手を小さく動かすことで手を乾燥させることができ、かつ、外部への水滴の飛散を軽減することが可能となる。
【図面の簡単な説明】
【０００９】
【図１】実施の形態１による手乾燥装置を示す側面図である。
【図２】図１に示す手乾燥装置の斜視図である。
【図３】図１に示す手乾燥装置の正面図である。
【図４】図１に示す手乾燥装置の平面図である。
【発明を実施するための形態】
【００１０】
以下、図面を参照して実施の形態について説明する。各図において共通または対応する要素には、同一の符号を付して、重複する説明を簡略化または省略する。
【００１１】
実施の形態１．
図１は、実施の形態１による手乾燥装置１を示す側面図である。図２は、図１に示す手乾燥装置１の斜視図である。図３は、図１に示す手乾燥装置１の正面図である。図４は、図１に示す手乾燥装置１の平面図である。以下の説明では、手乾燥装置１についての、上下方向、前後方向、及び左右方向を、図１から図４中に示す座標軸のように定める。上下方向は、鉛直線の方向である。使用者は、手乾燥装置１の「前」に立って手乾燥装置１を使用する。手乾燥装置１の「左」とは、手乾燥装置１の正面に向き合った使用者の左手の側に相当する方向である。手乾燥装置１の「右」とは、手乾燥装置１の正面に向き合った使用者の右手の側に相当する方向である。
【００１２】
図１に示すように、手乾燥装置１は、本体２及び高圧空気発生装置３を備える。本体２は、手乾燥装置１の外郭を形成する筐体を構成する。高圧空気発生装置３は、本体２の内部に配置されている。高圧空気発生装置３は、使用者の手に付着した水分を吹き飛ばすための気流を発生させる気流発生手段の例である。図１では、理解を容易にするための便宜上、本体２の内部にある高圧空気発生装置３を透視した状態を表す。
【００１３】
図２に示すように、本体２には、第一の手挿入空間４及び第二の手挿入空間５が形成されている。第一の手挿入空間４は、第二の手挿入空間５に対して、少なくとも部分的に隔てられている。第一の手挿入空間４は、手乾燥装置１の正面に向き合った使用者が左手を挿入可能な空間である。第二の手挿入空間５は、手乾燥装置１の正面に向き合った使用者が右手を挿入可能な空間である。第一の手挿入空間４の、上下方向、前後方向、及び左右方向の各寸法は、使用者の左手の全体が内壁に触れることなく第一の手挿入空間４内に入ることのできる寸法であることが望ましい。第二の手挿入空間５の、上下方向、前後方向、及び左右方向の各寸法は、使用者の右手の全体が内壁に触れることなく第二の手挿入空間５内に入ることのできる寸法であることが望ましい。
【００１４】
本体２は、例えば、正面を形成する前パネル、第一の手挿入空間４及び第二の手挿入空間５を形成する挿入部パネル、背面を形成する背面パネル、左の側面を形成する第一側面パネル、右の側面を形成する第二側面パネル、上面を形成する上パネル、及び、底部を形成する門型のフレームが組み合わされた構成を有する。
【００１５】
図４に示すように、本体２は、第一底面６、第一前内壁面７、第一後内壁面８、第二底面９、第二前内壁面１０、第二後内壁面１１、及び隔壁１２を備える。隔壁１２は、第一の手挿入空間４と第二の手挿入空間５との間を少なくとも部分的に隔てる。隔壁１２は、第一壁面１３及び第二壁面１４を備える。第二壁面１４は、第一壁面１３の反対側の壁面である。
【００１６】
第一の手挿入空間４は、第一底面６、第一前内壁面７、第一後内壁面８、及び隔壁１２の第一壁面１３によって囲まれている。第一底面６、第一前内壁面７、第一後内壁面８、及び第一壁面１３は、第一の手挿入空間４に面する。第一底面６は、第一の手挿入空間４の下側を覆う。第一前内壁面７は、第一の手挿入空間４の前側を覆う。第一後内壁面８は、第一の手挿入空間４の後ろ側を覆う。隔壁１２の第一壁面１３は、第一の手挿入空間４の右側を覆う。第一後内壁面８は、第一前内壁面７に対向する。
【００１７】
第二の手挿入空間５は、第二底面９、第二前内壁面１０、第二後内壁面１１、及び隔壁１２の第二壁面１４によって囲まれている。第二底面９、第二前内壁面１０、第二後内壁面１１、及び第二壁面１４は、第二の手挿入空間５に面する。第二底面９は、第二の手挿入空間５の下側を覆う。第二前内壁面１０は、第二の手挿入空間５の前側を覆う。第二後内壁面１１は、第二の手挿入空間５の後ろ側を覆う。隔壁１２の第二壁面１４は、第二の手挿入空間５の左側を覆う。第二後内壁面１１は、第二前内壁面１０に対向する。
【００１８】
本体２は、第一前ノズル１５、第一後ノズル１６、第二前ノズル１７、及び第二後ノズル１８を備える。第一前ノズル１５及び第一後ノズル１６は、高圧空気発生装置３により発生した気流を第一の手挿入空間４へ吹き出す。第一後ノズル１６は、第一前ノズル１５と反対側から、第一の手挿入空間４へ気流を吹き出す。第二前ノズル１７及び第二後ノズル１８は、高圧空気発生装置３により発生した気流を第二の手挿入空間５へ吹き出す。第二後ノズル１８は、第二前ノズル１７と反対側から、第二の手挿入空間５へ気流を吹き出す。第一前ノズル１５は、第一前内壁面７に配置されている。第一後ノズル１６は、第一後内壁面８に配置されている。第二前ノズル１７は、第二前内壁面１０に配置されている。第二後ノズル１８は、第二後内壁面１１に配置されている。
【００１９】
図２に示すように、第一前ノズル１５は、第一前内壁面７に形成された複数のノズル孔を有する。第一前ノズル１５の複数のノズル孔により形成される列の長手方向は、上下方向に沿う。当該列の長手方向は、鉛直線に対して平行でもよいが、鉛直線に対して３０°以下の角度で傾斜していてもよい。第一後ノズル１６は、第一後内壁面８に形成された複数のノズル孔を有する。第一後ノズル１６の複数のノズル孔により形成される列の長手方向は、上下方向に沿う。当該列の長手方向は、鉛直線に対して平行でもよいが、鉛直線に対して３０°以下の角度で傾斜していてもよい。第一前ノズル１５は、第一後ノズル１６に対向する位置にあってもよい。
【００２０】
第二前ノズル１７は、第二前内壁面１０に形成された複数のノズル孔を有する。第二前ノズル１７の複数のノズル孔により形成される列の長手方向は、上下方向に沿う。当該列の長手方向は、鉛直線に対して平行でもよいが、鉛直線に対して３０°以下の角度で傾斜していてもよい。第二後ノズル１８は、第二後内壁面１１に形成された複数のノズル孔を有する。第二後ノズル１８の複数のノズル孔により形成される列の長手方向は、上下方向に沿う。当該列の長手方向は、鉛直線に対して平行でもよいが、鉛直線に対して３０°以下の角度で傾斜していてもよい。第二前ノズル１７は、第二後ノズル１８に対向する位置にあってもよい。
【００２１】
図示の構成では、第一前ノズル１５、第一後ノズル１６、第二前ノズル１７、及び第二後ノズル１８が備えるノズル孔の各々が円形または楕円形であるが、各ノズル孔の形状は、長方形、波形など、いかなる形状でもよい。
【００２２】
図３及び図４に示すように、本体２は、第一排水部１９及び第二排水部２０を備える。第一排水部１９は、第一の手挿入空間４内の水を第一の手挿入空間４外へ排出する。第二排水部２０は、第二の手挿入空間５内の水を第二の手挿入空間５外へ排出する。本体２の内部には、第一排水部１９及び第二排水部２０からの排水を貯留する排水タンク３１が備えられている。第一排水部１９及び第二排水部２０は、排水タンク３１に連通する流路を有する。本実施の形態では、第一排水部１９は、隔壁１２の第一壁面１３の下方に位置する。第二排水部２０は、隔壁１２の第二壁面１４の下方に位置する。
【００２３】
図２及び図４に示すように、第一の手挿入空間４に通じる第一上面開口２１及び第一側面開口２２と、第二の手挿入空間５に通じる第二上面開口２３及び第二側面開口２４とが、本体２に形成されている。第一上面開口２１及び第二上面開口２３は、本体２の上面において開口する。第一側面開口２２は、本体２の左の側面である第一側面において開口する。第二側面開口２４は、本体２の右の側面である第二側面において開口する。
【００２４】
第一上面開口２１は、第一底面６に対向する位置にある。第一側面開口２２は、隔壁１２の第一壁面１３に対向する位置にある。第一側面開口２２は、第一上面開口２１につながっている。すなわち、第一上面開口２１及び第一側面開口２２は、連続した一つの開口を形成する。使用者は、左手を第一上面開口２１及び第一側面開口２２から第一の手挿入空間４へ挿入可能である。使用者は、本体２の左の側面である第一側面から左手を第一の手挿入空間４へ挿入可能である。第一上面開口２１及び第一側面開口２２は、使用者が第一の手挿入空間４に挿入した左手を第一前内壁面７及び第一後内壁面８に触れずに自由に抜き差しできる大きさを有する。
【００２５】
第二上面開口２３は、第二底面９に対向する位置にある。第二側面開口２４は、隔壁１２の第二壁面１４に対向する位置にある。第二側面開口２４は、第二上面開口２３につながっている。すなわち、第二上面開口２３及び第二側面開口２４は、連続した一つの開口を形成する。使用者は、右手を第二上面開口２３及び第二側面開口２４から第一の手挿入空間４へ挿入可能である。本体２の右の側面である第二側面から右手を第二の手挿入空間５へ挿入可能である。第二上面開口２３及び第二側面開口２４は、使用者が第二の手挿入空間５に挿入した右手を第二前内壁面１０及び第二後内壁面１１に触れずに自由に抜き差しできる大きさを有する。
【００２６】
図４に示すように、第一前ノズル１５及び第一後ノズル１６と第一側面開口２２との距離は、第一前ノズル１５及び第一後ノズル１６と隔壁１２の第一壁面１３との距離より短い。第二前ノズル１７及び第二後ノズル１８と第二側面開口２４との距離は、第二前ノズル１７及び第二後ノズル１８と隔壁１２の第二壁面１４との距離より短い。
【００２７】
図１に示すように、高圧空気発生装置３は、モータ３ａ及びターボファン３ｂを備える。モータ３ａは、ターボファン３ｂを回転させる電動機である。モータ３ａは、例えば、ＤＣブラシレスモータまたは整流子モータでもよい。ターボファン３ｂは、本体２の内部に形成された風路内に配置されている。高圧空気発生装置３は、第一底面６及び第二底面９よりも下側の位置にある。
【００２８】
本体２の下部には、吸気口２５が形成されている。吸気口２５は、高圧空気発生装置３のターボファン３ｂへ取り込む空気の入口となる。吸気口２５は、本体２の外部空間に対して開口する。防菌防カビ処理をしたフィルタ（図示省略）などが吸気口２５に取り付けられていてもよい。
【００２９】
本体２の内部には、吸気風路２６及び送気風路２７が形成されている。吸気口２５から流入した空気は、吸気風路２６を通って、高圧空気発生装置３のターボファン３ｂへ到達する。ターボファン３ｂから排出された高圧の空気は、送気風路２７を通って、第一前ノズル１５、第一後ノズル１６、第二前ノズル１７、及び第二後ノズル１８のそれぞれに供給される。送気風路２７は、四つの風路に分岐し、その分岐した各風路が第一前ノズル１５、第一後ノズル１６、第二前ノズル１７、及び第二後ノズル１８に通じている。なお、図１中の白抜きの矢印は、本体２の内部における空気の流れを表している。
【００３０】
第一前内壁面７及び第二前内壁面１０の上端２９の位置は、第一後内壁面８及び第二後内壁面１１の上端３０の位置よりも低い位置にある。隔壁１２の上端は、後ろから前に向かって低くなるように、水平面に対して傾斜している。本実施の形態であれば、このような構成により以下の効果が得られる。図４に示す平面視においては、第一上面開口２１は、左横に倒れたＵ字状を呈し、第二側面開口２４は、右横に倒れたＵ字状を呈する。Ｕ字状の第一上面開口２１及び第二側面開口２４が、奥へ向かって高くなるように傾斜することで、身長の低い使用者、例えば子供であっても、第一上面開口２１及び第二側面開口２４の全体を目視しやすい。
【００３１】
本体２には、第一の手挿入空間４及び第二の手挿入空間５に挿入された手を検知する手検知センサが取り付けられている。本実施の形態における手検知センサは、発光部２８ａと、発光部２８ａから発せられた光を受光する受光部２８ｂとを備える。手検知センサの発光部２８ａは、第一前内壁面７及び第二前内壁面１０に取り付けられている。手検知センサの受光部２８ｂは、第一後内壁面８及び第二後内壁面１１に取り付けられている。第一の手挿入空間４における複数の位置で手を検知するように手検知センサが備えられてもよい。例えば、以下のようにしてもよい。第一の手挿入空間４に対して、第一側面開口２２に近い位置と、隔壁１２の第一壁面１３に近い位置とにそれぞれ手検知センサを配置してもよい。第一の手挿入空間４に対して、第一上面開口２１に近い位置と、第一底面６に近い位置とにそれぞれ手検知センサを配置してもよい。第二の手挿入空間５における複数の位置で手を検知するように手検知センサが備えられてもよい。例えば、以下のようにしてもよい。第二の手挿入空間５に対して、第二側面開口２４に近い位置と、隔壁１２の第二壁面１４に近い位置とにそれぞれ手検知センサを配置してもよい。第二の手挿入空間５に対して、第二上面開口２３に近い位置と、第二底面９に近い位置とにそれぞれ手検知センサを配置してもよい。
【００３２】
使用者の手が第一の手挿入空間４及び第二の手挿入空間５に挿入されたことを手検知センサが検知すると、本体２内に設けられた制御装置（図示省略）が高圧空気発生装置３を作動させることで高圧空気を発生し、第一前ノズル１５、第一後ノズル１６、第二前ノズル１７、及び第二後ノズル１８から気流を吹き出させる。その気流により、手に付着している水分が吹き飛ばされる。第一の手挿入空間４及び第二の手挿入空間５から手が完全に出たことを手検知センサが検知すると、制御装置が高圧空気発生装置３を停止させる。
【００３３】
本実施の形態であれば、第一前ノズル１５、第一後ノズル１６、第二前ノズル１７、及び第二後ノズル１８により形成される列の長手方向が、上下方向に沿うようにされていることで、以下の効果が得られる。使用者は、第一の手挿入空間４及び第二の手挿入空間５から手を上下方向に出し入れすることなく、手首を支点にして手を左右に振る動作だけで手の乾燥を行うことが可能となる。このような使用方法を以下「推奨使用方法」と称する。推奨使用方法によれば、手を小さく動かすことで手を乾燥させることができるため、使い勝手に優れる。
【００３４】
本実施の形態であれば、隔壁１２を備えたことで、使用者に対して、第一上面開口２１及び第二上面開口２３よりも、第一側面開口２２及び第二側面開口２４からの方が手が入れやすいという視覚的な感覚を持たせることができる。このため、第一上面開口２１及び第二上面開口２３からではなく、第一側面開口２２及び第二側面開口２４から手を入れるように自然と使用者を促すことができる。その結果、使用者が自然と推奨使用方法で使用するように促すことができる。
【００３５】
図４に示すように、前後方向についての第一上面開口２１の大きさＬ１は、第一側面開口２２から隔壁１２に向かって減少する。すなわち、当該大きさＬ１は、本体２の左端から、左右方向の中央に向かって減少する。当該大きさＬ１は、第一前内壁面７と第一後内壁面８との距離に相当する。前後方向についての第二上面開口２３の大きさＬ２は、第二側面開口２４から隔壁１２に向かって減少する。すなわち、当該大きさＬ２は、本体２の右端から、左右方向の中央に向かって減少する。当該大きさＬ２は、第二前内壁面１０と第二後内壁面１１との距離に相当する。本実施の形態であれば、上記の構成により、以下の効果が得られる。第一上面開口２１及び第二上面開口２３がそれぞれ中央に向かって狭くなっているので、使用者は、第一上面開口２１及び第二上面開口２３よりも第一側面開口２２及び第二側面開口２４からの方が手を入れやすいと感じる。このため、第一上面開口２１及び第二上面開口２３からではなく、第一側面開口２２及び第二側面開口２４から手を入れるように自然と使用者を促すことができる。その結果、使用者が自然と推奨使用方法で使用するように促すことができる。
【００３６】
本実施の形態では、前後方向についての第一上面開口２１の大きさＬ１は、左右方向についての第一上面開口２１のほぼ全長に渡って、隔壁１２に向かって漸減している。また、前後方向についての第二上面開口２３の大きさＬ２は、左右方向についての第二上面開口２３のほぼ全長に渡って、隔壁１２に向かって漸減している。このような構成に限らず、第一上面開口２１の少なくとも一部において上記大きさＬ１が隔壁１２に向かって減少すれば、上記と類似の効果が得られる。また、第二上面開口２３の少なくとも一部において上記大きさＬ２が隔壁１２に向かって減少すれば、上記と類似の効果が得られる。例えば、左右方向についての第一上面開口２１の全長の少なくとも１／２の範囲において上記大きさＬ１が隔壁１２に向かって減少してもよい。また、左右方向についての第二上面開口２３の全長の少なくとも１／２の範囲において上記大きさＬ２が隔壁１２に向かって減少してもよい。
【００３７】
本実施の形態であれば、隔壁１２を備えたことで、以下の効果が得られる。第一の手挿入空間４にて使用者の手から吹き飛ばされた水滴の一部は、隔壁１２の第一壁面１３に向かう方向に飛んで第一壁面１３に付着する。第二の手挿入空間５にて使用者の手から吹き飛ばされた水滴の一部は、隔壁１２の第二壁面１４に向かう方向に飛んで第二壁面１４に付着する。このようにして、使用者の手から吹き飛ばされた水滴を隔壁１２によって捕捉することができるので、本体２の外部への水滴の飛散を軽減できる。
【００３８】
隔壁１２の第一壁面１３及び第二壁面１４に付着した水滴は、重力により流下し、第一排水部１９及び第二排水部２０から排水タンク３１へ排水される。このため、第一の手挿入空間４及び第二の手挿入空間５に水分が残存することを抑制できるので、残存した水分の再飛散を確実に軽減できる。
【００３９】
図３及び図４に示すように、第一排水部１９は、第一側面開口２２よりも隔壁１２の第一壁面１３に近い位置にある。すなわち、第一排水部１９と第一壁面１３との最短距離は、第一排水部１９と第一側面開口２２との最短距離より短い。また、第二排水部２０は、第二側面開口２４よりも隔壁１２の第二壁面１４に近い位置にある。すなわち、第二排水部２０と第二壁面１４との最短距離は、第二排水部２０と第二側面開口２４との最短距離より短い。このような構成により、水滴が第一側面開口２２及び第二側面開口２４から本体２の外部へ飛散することをより確実に防止できるので、本体２の外部への水滴の飛散をさらに軽減できる。特に、本実施の形態では、隔壁１２の第一壁面１３の直下に第一排水部１９があり、隔壁１２の第二壁面１４の直下に第二排水部２０がある。これにより、上記効果をより確実に奏することが可能となる。
【００４０】
第一排水部１９の流路は、第一の手挿入空間４とほぼ同等の幅を有する。第二排水部２０の流路は、第二の手挿入空間５とほぼ同等の幅を有する。このような構成により、本実施の形態であれば、第一排水部１９及び第二排水部２０の流路を十分に広くできるので、第一の手挿入空間４及び第二の手挿入空間５からの排水をより確実に促進できる。このため、残存水分の再飛散を確実に軽減できる。
【００４１】
図３に示すように、第一底面６は、第一排水部１９に向かって低くなるように傾斜している。第二底面９は、第二排水部２０に向かって低くなるように傾斜している。このような構成により、本実施の形態であれば、第一底面６及び第二底面９上に集まった水分を第一排水部１９及び第二排水部２０へ確実に導くことができる。よって、第一の手挿入空間４及び第二の手挿入空間５からの排水をより確実に促進できる。このため、残存水分の再飛散を確実に軽減できる。
【００４２】
第一排水部１９は、第一底面６よりも急な傾斜角度で下る第一斜面３２を有する。第一斜面３２は、第一底面６に対し、排水タンク３１に向かう方向に折れ曲がっている。第二排水部２０は、第二底面９よりも急な傾斜角度で下る第二斜面３３を有する。第二斜面３３は、第二底面９に対し、排水タンク３１に向かう方向に折れ曲がっている。このような構成により、本実施の形態であれば、第一排水部１９及び第二排水部２０から排出された水が、再度、第一の手挿入空間４及び第二の手挿入空間５側へ飛散することを、より確実に防止できる。第一斜面３２及び第二斜面３３は、第一排水部１９及び第二排水部２０から排水された水分が第一の手挿入空間４及び第二の手挿入空間５へ再飛散することを抑制する再飛散抑制手段として機能する。
【００４３】
本実施の形態では、第一排水部１９からの排水と第二排水部２０からの排水とが共通の排水タンク３１に流入する。これにより、以下の効果が得られる。排水タンク３１の数を一つにできるので、排水タンク３１の清掃性が煩雑になることがない。
【００４４】
本実施の形態では、第一排水部１９及び第二排水部２０の直下に排水タンク３１を配置している。これにより、以下の効果が得られる。ドレンの流路を省略または極めて短くできるので、ドレンの流路への汚れの蓄積を抑制でき、衛生性を容易に維持できる。また、第一の手挿入空間４及び第二の手挿入空間５の下部に排水タンク３１を設けることで、本体２の高さを低くすることができ、手乾燥装置１を小型化することができる。
【００４５】
排水タンク３１内には、吸水性を有するフィルタを配置して、皮脂成分と水分を分離することで排水タンク３１内の水滴の気散量を促進させてもよい。また、排水タンク３１に対して、例えば、紫外線を照射するＬＥＤ、あるいは抗菌剤等の殺菌手段を備えることで、衛生性をより良好に保つ機能を付与してもよい。
【００４６】
図３に示すように、手乾燥装置１は、排水タンク３１から本体２の外部へ通じる風路３４と、風路３４に配置された排気ファン３５とをさらに備えてもよい。排気ファン３５は、排水タンク３１から風路３４を通って本体２の外部へ向かう方向に送風する。手乾燥時に排気ファン３５を作動させることで、第一の手挿入空間４及び第二の手挿入空間５において第一排水部１９及び第二排水部２０へ向かう誘引流を形成することができ、第一排水部１９及び第二排水部２０への水滴の回収率を向上させることができる。このため、本体２の外部への水滴の飛散をさらに軽減できる。風路３４及び排気ファン３５は、第一排水部１９及び第二排水部２０から排水された水分が第一の手挿入空間４及び第二の手挿入空間５へ再飛散することを抑制する再飛散抑制手段として機能する。また、手乾燥装置１が稼働していない間でも排気ファン３５を作動させてもよい。これにより、排水タンク３１に貯留された水分の蒸発が促進され、排水タンク３１内の衛生性を容易に維持でき、メンテナンスを簡易にすることができる。
【００４７】
本実施の形態では、隔壁１２の厚さＬ３は、下に向かって薄くなる。これにより、以下の効果が得られる。第一の手挿入空間４及び第二の手挿入空間５において、手から飛散した水滴を、第一排水部１９及び第二排水部２０へより高効率に誘導することができる。隔壁１２の第一壁面１３及び第二壁面１４を伝う上昇流を抑制でき、使用者の顔の方向へ水滴が飛散することをより確実に防止できる。本実施の形態では、上下方向についての隔壁１２のほぼ全長に渡って、隔壁１２の厚さＬ３が、下に向かって薄くなっている。このような構成に限らず、隔壁１２の少なくとも一部において隔壁１２の厚さＬ３が下に向かって薄くなっていれば、上記と類似の効果が得られる。例えば、上下方向についての隔壁１２の全長の少なくとも１／２の範囲において隔壁１２の厚さＬ３が下に向かって薄くなるようにしてもよい。
【００４８】
本実施の形態では、隔壁１２の下端３６が第一底面６及び第二底面９から離れている。隔壁１２の下端３６の下において、第一排水部１９の流路と第二排水部２０の流路とが一つにつながった排水口を形成している。このような構成により、第一排水部１９及び第二排水部２０の開口を広く取ることができるので、手から飛散した水滴の回収量をさらに向上させることができる。隔壁１２より下側において第一の手挿入空間４と第二の手挿入空間５とがつながっていてもよい。
【００４９】
図４中で第一前ノズル１５、第一後ノズル１６、第二前ノズル１７、及び第二後ノズル１８から出ている矢印は、気流の吹出方向を示す。本実施の形態では、第一前ノズル１５から吹き出される気流は、隔壁１２に近づく方向の速度成分を有する。第一後ノズル１６から吹き出される気流は、隔壁１２に近づく方向の速度成分を有する。第二前ノズル１７から吹き出される気流は、隔壁１２に近づく方向の速度成分を有する。第二後ノズル１８から吹き出される気流は、隔壁１２に近づく方向の速度成分を有する。すなわち、第一前ノズル１５、第一後ノズル１６、第二前ノズル１７、及び第二後ノズル１８から吹き出される気流は、それぞれ、本体２の左右方向の中央に近づく方向の速度成分を有する。本実施の形態であれば、このような構成により、手から飛散した水滴を、第一排水部１９及び第二排水部２０へより高効率に誘導することができ、本体２の外部への水滴の飛散をさらに軽減できる。
【００５０】
第一前ノズル１５から吹き出される気流は、第一排水部１９に近づく方向の速度成分を有してもよい。第一後ノズル１６から吹き出される気流は、第一排水部１９に近づく方向の速度成分を有してもよい。第二前ノズル１７から吹き出される気流は、第二排水部２０に近づく方向の速度成分を有してもよい。第二後ノズル１８から吹き出される気流は、第二排水部２０に近づく方向の速度成分を有してもよい。これらの構成によれば、手から飛散した水滴を、第一排水部１９及び第二排水部２０へより高効率に誘導することができ、本体２の外部への水滴の飛散をさらに軽減できる。
【００５１】
本実施の形態では、一台の高圧空気発生装置３によって第一前ノズル１５、第一後ノズル１６、第二前ノズル１７、及び第二後ノズル１８に送風する構成としているが、このような構成に限らず、第一前ノズル１５及び第一後ノズル１６に送風する高圧空気発生装置と、第二前ノズル１７及び第二後ノズル１８に送風する高圧空気発生装置とを別々に備えるようにしてもよい。そのようにすることで、第一の手挿入空間４への送風と、第二の手挿入空間５への送風とを個別に切り替えることができる。これにより、例えば、片手のみ乾燥する場合に、もう片方に不必要な気流を出すことを防止できる。
【００５２】
本実施の形態では、第一の手挿入空間４に対しては、第一前ノズル１５及び第一後ノズル１６以外のノズルが設けられていない。また、第二の手挿入空間５に対しては、第二前ノズル１７及び第二後ノズル１８以外のノズルが設けられていない。これにより、以下の効果が得られる。高圧空気発生装置３により発生した高圧空気を、第一前ノズル１５、第一後ノズル１６、第二前ノズル１７、及び第二後ノズル１８に集中させることができるので、吹き出される気流の風速を高くでき、より短時間で手を乾燥させることができる。ただし、本発明では、図示の構成に限らず、第一前ノズル１５、第一後ノズル１６、第二前ノズル１７、及び第二後ノズル１８以外のノズルがさらに備えられていてもよい。例えば、左右方向に沿う列を形成するノズルがさらに備えられていてもよい。
【００５３】
以上説明したように、本実施の形態であれば、手乾燥時の手の動作を少なくでき、本体２の外部への水滴の飛散を軽減でき、本体２の外壁への水垂れも同時に防止できる。また、第一の手挿入空間４及び第二の手挿入空間５に水分が残存することを抑制できるので、第一の手挿入空間４及び第二の手挿入空間５の衛生性を容易に維持できる。
【符号の説明】
【００５４】
１  手乾燥装置、  ２  本体、  ３  高圧空気発生装置、  ４  第一の手挿入空間、  ５  第二の手挿入空間、  １２  隔壁、  １５  第一前ノズル、  １６  第一後ノズル、  １７  第二前ノズル、  １８  第二後ノズル、  １９  第一排水部、  ２０  第二排水部、  ２１  第一上面開口、  ２２  第一側面開口、  ２３  第二上面開口、  ２４  第二側面開口、  ３１  排水タンク
【図１】
2018089105.tif 000003
【図２】
2018089105.tif 000004
【図３】
2018089105.tif 000005
【図４】
2018089105.tif 000006